(57)【要約】【課題】マット１と床面との間に水や空気などの流体溜まりが発生しても、この流体溜まりを効率的に排出する。【解決手段】マット１の下面が自己粘着性エラストマーからなり、その自己粘着性により床面に粘着支持するマット１において、マット１の下面には下向きに開放された排出溝１４を有し、同排出溝１４の少なくとも一端はマット１の側面１ａに開口している。この排出溝１４により、マット１を床面に敷いた際に水や空気などの流体溜まりが発生しても、排出溝１４を通って流体をマット１の外部に排出させることが容易となる。【選択図】図３
2019122661.tif 000002
【特許請求の範囲】
【請求項１】
マットの下面が自己粘着性エラストマーからなり、その自己粘着性により床面に粘着支持するマットにおいて、
前記下面には下向きに開放された排出溝を有し、同排出溝はマットの側面に開口するマット。
【請求項２】
前記排出溝は複数の溝からなり、該複数の溝同士は交差している請求項１に記載のマット。
【請求項３】
前記排出溝はマットの下面に格子状に形成されている請求項１又は２に記載のマット。
【請求項４】
前記排出溝は幅方向断面の中央部が最も高く形成されている請求項１ないし３のいずれか一項に記載のマット。
【請求項５】
前記マットの上面が自己粘着性エラストマーからなる請求項１ないし４のいずれか一項に記載のマット。
【発明の詳細な説明】
【技術分野】
【０００１】
本発明は、建物内の通路等の床面に設置されるマットであって、より具体的には、マットの下面が自己粘着性エラストマーからなり、その自己粘着性により床面に粘着支持するマットに関する。
【背景技術】
【０００２】
工場等の建物内で、物品の運搬にフォークリフト、無人搬送車、ワゴン、ハンドリフト、台車等の車輪付きの運搬装置が用いられることがある。この運搬装置は建物内のいろいろな箇所を走行するため運搬装置の車輪や下回り、或いは運搬装置により搬送される物品それ自体にゴミやホコリ等（以下、異物ともいう）が付着することがある。
【０００３】
また、工場等の建物に外部から出入りする作業者も、その衣服や靴底等に異物が付着していることがあり、また環境によっては作業者の着衣の繊維片や作業者自身から抜けた毛髪、まつ毛等も異物となることがある。
【０００４】
そこで、清潔な環境を維持する必要のある箇所、例えば建物内の通路、クリーンルームの入り口、作業者の更衣室等の床面に、表面に粘着性を有する除塵マットを敷いている。そして、ここを通過する運搬装置の車輪や下回りに付いた異物、作業者の靴底に付いた異物、また、搬送される物品から落ちた異物、さらには作業者から発生した異物を除塵マットの表面に粘着して保持することにより、異物の舞い上がりや異物の対象領域への侵入等を防止している。なお、除塵マットは、フォークリフト、無人搬送車等を主対象とする重量物用と、ワゴン、台車、人等を主対象とする軽量物用に分かれているが、機能は同じであるためここではまとめて除塵マットとして説明する。
【０００５】
ところで、除塵マットは、その表面が自己粘着性エラストマーにて形成されるとともに、床面に接する下面も自己粘着性エラストマーにて形成されるものがあり、そのような除塵マットの床面への貼り付けは、接着剤等を用いることなくエラストマーの自己粘着性により可能である（非特許文献１）。
【先行技術文献】
【非特許文献】
【０００６】
【非特許文献１】株式会社エクシール製品カタログＶｏｌ．１４  第５頁ないし８頁
【発明の概要】
【発明が解決しようとする課題】
【０００７】
ところで、このような除塵マットを床面に貼り付けた場合には、自己粘着性エラストマーが柔軟性を有することから、床面と除塵マットとの間に存在している空気がマット外部に抜ける前にその空気の周囲の除塵マット下面が床面に貼り付けられ、空気が除塵マットと床面の間に閉じ込められた空気溜まりが発生することがある。このため除塵マットを床面に貼り付けて設置する場合には、設置後に空気押出用のプレスローラ等を使って除塵マットの上面から空気溜まりを除塵マットの端へと順次移動させて除塵マットの端部から空気を排出させる作業を行う。
【０００８】
しかし、空気溜まりを移動させるには、その移動方向において下面が床面に貼り付いた状態となっている除塵マットを一旦床面から剥がすこととなり、その作業が煩雑である。
一方、除塵マットと床面との間に空気溜まりが存在したままの場合、空気溜まりが小さいときには問題にはなりにくいが、空気溜まりがある程度大きな場合には、空気溜まりが位置する部分の除塵マットが上に膨らんだ緩やかな丘状となり（図５参照）、除塵マット上面が平坦ではなくなる。そうすると、その膨らんだ部分が除塵マット上を移動する車両の抵抗となり得る。また、空気溜まりに位置する部分の除塵マットはいわば宙に浮いた状態となっているため、その上を車両が移動等すると、同部分の除塵マットに局所的な負荷が掛かって、他の部分に比べて劣化しやすい。
【０００９】
そして、このようなことは、これまで説明した除塵マット以外にも、滑り止めマットや衝撃吸収マットなど、床面に対して自己粘着性を有するエラストマーを有するマットでも生じる問題である。また、これら自己粘着性を有するエラストマーを有するマットを床面に貼り付ける場合には、霧吹き等を使用して床面を水で濡らしてからマットを敷くことがある。この場合には、床面とマットとの間に空気以外に水も存在し得ることとなり、空気の排出と合わせて水の排出作業を行う必要がある。
【００１０】
そこで、本願は、上記事情に鑑み、マットの下面が自己粘着性エラストマーからなり、その自己粘着性により床面に粘着支持するマットにおいて、マットと床面との間に水や空気などの流体溜まりが発生しても、この流体溜まりを効率的に排出することができるマットを提供することを目的とする。
【課題を解決するための手段】
【００１１】
上記の課題を解決するため、本願発明は、マットの下面が自己粘着性エラストマーからなり、その自己粘着性により床面に粘着支持するマットにおいて、前記下面には下向きに開放された溝を有し、同溝はマットの側面に開口するものとした。このため、床面への設置時にマットと床面との間に空気溜まり等が生じても、これを溝からマット外部に排出することができる。
【発明の効果】
【００１２】
本発明によれば、マットと床面との間に水や空気などの流体溜まりが発生しても、この流体溜まりを効率的に排出することができる。
【図面の簡単な説明】
【００１３】
【図１】本実施形態の除塵マットの分解斜視図。
【図２】本実施形態の除塵マットの側面図。
【図３】本実施形態の除塵マットの背面図。
【図４】本実施形態の排出溝の断面を示す模式図。
【図５】（ａ）は本実施形態の除塵マットに形成される空気溜まりを説明する断面図。（ｂ）は同平面図。
【図６】排出溝成形用のエンボスフィルムの斜視図。
【図７】空気溜まりの排出の説明図。
【図８】（ａ）（ｂ）は排出溝の変更例を示す平面図。
【図９】（ａ）（ｂ）（ｃ）（ｄ）は排出溝の別の変更例を示す平面図。
【発明を実施するための形態】
【００１４】
以下、本発明をフォークリフトや無人搬送車などの重量物用の除塵マットに具体化した実施形態について説明する。
本実施形態の除塵マット１は、平面視で長方形状を有し、長辺の長さは９００ｍｍで、短辺の長さは６００ｍｍの平面視長方形状であり、各辺の高さは約３ｍｍである。
【００１５】
図１に分解斜視図を、図２に除塵マット１の側面１ａを示すように、除塵マットは、床面に貼り付ける向きで上側から順に、除塵面１１を有する層２（以下、除塵層という。）、除塵マットの芯材１２となる層３（以下、芯材層という。）、貼り付け面１３を有する層４（以下、設置層という）の３層構造となっており、これらの層は製造工程により一体化されている。
【００１６】
除塵層２は上面に除塵面１１を有する層であり、除塵マット１の最上層に位置する。除塵層２は自己粘着性を有するエラストマー（以下、自己粘着性エラストマーともいう）からなり、その自己粘着性を利用して除塵面１１上を移動する車両の車輪や下回り等に付着した異物や搬送される物品から落ちた異物を粘着保持するものである。除塵層２は、エラストマーから構成されていて柔軟性を有し、除塵マット１上に車両（車輪）が乗った場合には、その荷重により除塵マット１が弾性変形して除塵層２の表面が車輪周囲に廻り込み底面以外の汚れを除去することも可能である。
【００１７】
除塵層２を構成する自己粘着性エラストマーとして好ましいのは自己粘着性を有するポリウレタン系エラストマーであり、柔軟性があり耐衝撃性も有している。ここで、ポリウレタン系エラストマー、特に「系」とは、エラストマーを構成する各成分のうち質量％換算でポリウレタンが最も多いことを意味する。なお、自己粘着性ポリウレタン系エラストマーを、以下単に「自己粘着性ポリウレタン」とも表現する。
【００１８】
また、除塵層２に用いる自己粘着性エラストマーは自己粘着性ポリウレタンに限らず、他の材料、例えばシリコーンゴム、ポリエチレン系エラストマー、ポリプロピレン系エラストマー、ポリスチレン系エラストマーなどを使用することができる。この「系」の意味も先に自己粘着性ポリウレタンで説明したとおりである。
【００１９】
芯材層３は除塵マット１全体の強度や形状を保持する機能を有する層であり、除塵層２及び設置層４の間に位置する。除塵層２及び設置層４は自己粘着性エラストマーで形成されており、本実施形態では自己粘着性ポリウレタン系エラストマーを使用しているため柔軟性を有する。除塵マット１を自己粘着性エラストマーのみで形成すると、床面への貼付け作業時に除塵マット１がその柔軟性により面方向に伸長して一定形状を保持することができず所定位置へ所定形状を保持したままの貼付けが困難になることがある。また、除塵マット１を自己粘着性エラストマーのみで形成すると引張強度が弱くなり、車両の繰り返しの通行等により或いは清掃や移動のため除塵マット１を引っ張った際に破断や変形する可能性もある。
【００２０】
このような自己粘着性エラストマーを用いる除塵マット１に芯材層３を用いることによって、除塵マット１の面方向への伸びや変形等を規制して形状保持性を確保するとともに、除塵マット１の引張強度を確保することができる。芯材層３の芯材１２として使用することができる材料は、上記目的から形状保持性、引張強度に優れた編物生地、織物生地、不織布、延伸フィルムが好ましい。また、使用する材料に特に限定はないが、強度の点からは合成繊維、例えば、ナイロン、ポリエステル、ポリプロピレン、アラミド等の各繊維を単独又は混合して使用することができる。
【００２１】
芯材１２は、除塵マット１の製造時において、除塵層２及び設置層４となる硬化前のエラストマー原料（粘度の高い液状）が芯材層を介して互いに接触できるように、芯材１２にエラストマー原料が含浸しやすい態様、具体的には空隙が存在することが好ましい。また、生地等を複数枚重ねて芯材とすることも可能である。
【００２２】
設置層４は下面に床面への貼り付け面１３を有する層であり、除塵マット１の最下層に位置する。設置層４は除塵層２と同様に自己粘着性エラストマーからなり、その自己粘着性を利用してその下面に位置する貼り付け面１３を床面に粘着支持するものである。なお、設置層４は大小様々な凹凸の形状に追随して貼り付け面１３が粘着支持できるように除塵層２より柔軟性を有する（アスカーＣ硬度が小さい）ことが好ましい。
【００２３】
設置層４を構成する自己粘着性エラストマーとして好ましいのは、除塵層２と同様に自己粘着性ポリウレタンである。また、設置層４に用いる自己粘着性エラストマーとして自己粘着性ポリウレタン以外に、他の材料、例えばシリコーンゴム、ポリエチレン系エラストマー、ポリプロピレン系エラストマー、ポリスチレン系エラストマーなどを使用することができることも除塵層２と同様である。
【００２４】
図２及び図３に示すように、設置層４の下面には下向きに開放された排出溝１４が形成されており、設置層４の下面はこの排出溝１４を除いた部分が床面への貼り付け面１３となる。排出溝１４は除塵マット１を床面に設置した際に、除塵マット１と床面の間に残存した水や空気等の流体を除塵マット１の外部に排出する流路となるものである。具体的には、図３に除塵マット１の背面図を示すように、設置層４の下面（図３に表示されている面）には、平面視で長方形状をなす除塵マット１の各辺に対して斜め４５度の傾斜角度で延び、かつ直交して交差する複数の溝からなる格子状の排出溝１４が形成されている。排出溝１４を構成する各溝は設置層４の４辺の側面、すなわち除塵マット１の４辺の側面１ａに開口している。
【００２５】
図３に示すように、格子状をなす排出溝１４の交点１７は角部が小さく面取り（半径１ｍｍの円弧）された形で排出溝１４の幅が僅かに大きくなっている。また、図４に示すように、排出溝１４をその延出方向に直交する方向にカットした断面（幅方向断面）は貼り付け面１３に垂直な対向する側壁１５と両側壁１５から上向き円弧状に伸びる天井部１６を有する略かまぼこ型であり、排出溝１４の幅は０．５ｍｍ、排出溝１４の高さは最も高い箇所（幅方向中央部）で５０μｍとなっている。図４に示すように、平行な排出溝１４間の間隔は排出溝１４の中心間で約３ｃｍであり、格子状の排出溝１４によって形成される四角形状の貼り付け面１３の対角線部分の長さは約４ｃｍであり、これらの長さは以下の理由により定めた。
【００２６】
設置層４の下面に排出溝１４を有さず、下面の全面を貼り付け面１３とした除塵マット１を床面に設置したところ、図５（ａ）及び図５（ｂ）に示すように床面と除塵マット１の間に空気溜まり５０により上面が膨らんだ箇所が目視で複数発生した。これらの空気溜まり５０は除塵マット１の床面への粘着力の低下や、膨らみに起因する車両の移動の妨げや除塵マット１の性能劣化にも繋がることから、貼付け後に排出作業の対象となる。この空気溜まり５０の大きさを測定したところ最も大きな空気溜まり５０で直径約５ｃｍの略円形状であった。
【００２７】
このため、除塵マット１の設置層４の下面に排出溝１４を形成する場合には、空気溜まり５０として直径約５ｃｍの円を想定し、この大きさの空気溜まり５０が生じないような構成とすることが効果的と判断した。そのためには、排出溝１４間の最長距離（四角形状の貼り付け面１３の対角線部分）が５ｃｍ未満とすれば、空気溜まりとして想定した直径５ｃｍの円の少なくとも一部が、いずれかの排出溝１４に掛かることとなる。
【００２８】
本実施形態の格子状の排出溝１４では排出溝１４間の最長距離は貼り付け面１３の対角線部分であり、その長さは約４ｃｍとなっているため、直径５ｃｍの空気溜まりが設置層４の下面のどこに位置していてもその一部が排出溝１４に掛かることとなる。なお、本実施形態では直径約５ｃｍの円に排出溝１４の少なくとも一部が掛かるように平行な排出溝１４間の間隔を３ｃｍ、排出溝１４間の最長距離４ｃｍとしたが、対象とする空気溜まりの大きさは一例であり、その大きさに応じて排出溝１４の間隔を適宜決定することができる。
【００２９】
一方、平行な排出溝１４間の間隔を短くすれば、より小さな空気溜まり５０にも対応することができるが、設置層４の下面のうち排出溝１４の占める面積が増加するに従い相対的に貼り付け面１３の面積が減少し、除塵マット１として床面への粘着力が弱くなるため、貼り付け面１３の粘着力も考慮し排出溝１４の形状等を決定すればよい。
【００３０】
本実施形態の除塵マット１の排出溝１４は、設置層４の排出溝１４の成形型となるエンボスフィルム１８によって形成する。すなわち、図６に示すように、エンボスフィルム１８は表面にエンボス加工がなされたポリプロピレン（ＰＰ）フィルム１８ａとこれに積層された基材となるポリエチレンテレフタレート（ＰＥＴ）フィルム１８ｂとからなる２層で構成される。エンボスフィルム１８の表面（ＰＰフィルム１８ａの表面でもある）には斜め格子状の凸部１９が形成されている。なお、図６の斜め格子状の凸部１９は説明の便宜上、大きさを強調して図示している。
【００３１】
そして、このエンボスフィルム１８上に、設置層４の材料（主液と硬化液からなる２液混合かつ熱硬化タイプのポリウレタン系エラストマー（硬化前））を供給し硬化させると、エンボスフィルム１８のエンボス形状が転写されて排出溝１４を有する設置層４となる。なお、除塵層２も設置層４と同様の樹脂を用い、また除塵層２と設置層４との間に位置する芯材層３には株式会社ＩＭＳテクノのポリエステル織物であるＩＭＴ−２０９−ＨＣを２枚重ねで使用した。
【００３２】
次に、上記で説明した除塵マット１の設置方法について説明する。なお、床面に設置前の除塵マット１は、異物付着防止のため、設置層４の表面はエンボスフィルム１８で覆われており、また除塵層２の表面は図示しないカバーフィルムで覆われている。
【００３３】
まず、除塵マット１を設置する床面を清掃し、床面に付着しているホコリ等を除去する。次に、必要に応じて床面に霧吹き等で水を吹きかけて濡らした後、設置層４表面のエンボスフィルム１８を剥がして床面の設置箇所に位置合わせしながら除塵マット１を床面に貼り付ける。このとき、除塵マット１の貼り付け面１３と床面との間に残存した空気が空気溜まり５０を形成することがあるが、図７に示すように、設置層４の下面に除塵マット１の側面１ａに開口する排出溝１４が形成されている。このため、ある程度の大きさ以上の空気溜まり５０は少なくともその一部が排出溝１４に掛かり、図７の矢印に示すように排出溝１４を通って除塵マット１の外部に排出される。
【００３４】
一方、排出溝１４に掛からないような空気溜まり５１については、プレスローラ（図７にＴ字状で図示）を除塵マット１の上面に押し当てて移動させると、空気溜まり５１が移動する過程で排出溝１４に到達し（図７の破線）、同様に排出溝１４を通って除塵マット１の外部に排出される。なお、除塵マット１と床面との間に残存した空気溜まり５０、５１について説明したが、設置時に床面に水を吹きかけている場合には、その水も空気の排出作業により同様に排出溝１４を通って外に排出される。
【００３５】
その後に、除塵層２を覆っているカバーフィルムを剥がすと、除塵マット１の表面に自己粘着性を有する除塵面１１が露出し、ここを通過する車両の車輪等に付着している異物を粘着保持することができる。
【００３６】
本実施形態の除塵マット１によれば、以下の効果を得ることができる。
（１）．上記除塵マット１は設置層４の下面に排出溝１４が形成されて、除塵マット１の各辺の側面１ａに開口している。このため、床面への設置時に除塵マット１と床面との間に空気溜まり５０等が発生しても、これを排出溝１４から除塵マット１の外部に排出することができ、除塵マット１と床面との間に生ずる水や空気などの流体溜まりを効率的に排出することができる。
【００３７】
（２）．排出溝１４は除塵マット１の平面視において格子状に形成されているため、空気溜まり５１が排出溝１４に掛からない場合でも、押し出し作業によって空気溜まり５１を排出溝１４まで移動させて排出せることができる。特に、排出溝１４は格子状のためどの方向に押し出ししても空気溜まり５１の移動先に排出溝１４が存在し、効率的な排出作業が可能となる。また、一部の溝が何らかの理由で詰まった場合でも交点１７を介して分岐する他の流路を経由した空気溜まり５０の排出が可能となる。
【００３８】
（３）．排出溝１４は除塵マット１の４辺のいずれの側面１ａにも開口しているため、空気の排出方向が限定されない。
（４）．排出溝１４は下開口の断面かまぼこ型であり、天井部１６は幅方向中央が最も高い上向き円弧状をしている。このため、除塵マット１に下向き荷重が作用して溝が変形等しても天井部１６の中央部分が床面に接地しにくく排出溝１４を塞ぎにくい。
【００３９】
上記実施形態は以下のように変更してもよく、また、これらの変更例を適宜組み合わせて適用してもよい。
・排出溝１４を除塵マット１の平面視において斜め格子状に形成したが、排出溝１４それ自体の形態はこれに限られない。例えば、矩形状の除塵マット１の各辺に沿った縦横の格子状としたり、除塵マット１の辺に対して溝の傾斜角度を変更してもよい。
【００４０】
・排出溝１４を構成する溝は直線に限らず図８（ａ）に示すように円を互いに外接させた形状としてもよく、図８（ｂ）に示すように波線を縦横に交差させた形状の排出溝１４でもよい。このような形状の排出溝１４であっても、除塵マット１と床面との間に位置する空気等の排出作業を効率的に行うことができる。
【００４１】
・また、図９（ａ）に示すように、直線の溝を除塵マットに対して斜めかつ平行に配置したもの、図９（ｂ）に示すように直線の溝を非平行に配置したもの、図９（ｃ）に示すように鋸歯状の溝を複数配置したものを排出溝１４としてもよい。この排出溝１４には溝同士の交点はないが押出方向等を工夫することによって、除塵マット１の各辺の側面１ａに開口する排出溝１４により床面との間に位置する空気等を効率的に排出させることが可能となる。
【００４２】
・図９（ｄ）に示すように、円弧と直線など異なる形状の溝を組み合わせて排出溝１４としてもよい。
・排出溝１４は、その一部が除塵マット１の側面１ａに開口されていればよい。一部が除塵マット１の側面１ａに開口する排出溝１４を通って除塵マット１の外部に空気等を排出させることが可能となる。
【００４３】
・除塵マット１で具体化したが、滑り止めマットや衝撃吸収マットなど、マットの下面を床面に対して自己粘着性エラストマーの自己粘着力により粘着支持するマットに適用することができる。
【００４４】
・本実施形態では、除塵層２、芯材層３及び設置層４の３層構成としたが、３層以外の構成、例えば芯材層３を省略したり、或いは自己粘着性エラストマーを有する１層構成のマットとしてもよい。
【００４５】
・排出溝１４の断面形状は本実施形態にかぎらず、矩形状、円弧状、五角形状等でもよい。
・除塵マット１の形状は、平面視長方形状に限らず、４つの辺の長さが等しい正方形としてもよく、台形状、平行四辺形、四角形以外の多角形状、円、半円等でもよい。
【００４６】
・本実施形態の除塵マット１を人や台車などの軽量物用途に用いてもよい。この場合でも作業者の靴底等に付着した異物や作業者自身から生じる異物を粘着保持することができるとともに、床面への設置時に除塵マット１と床面との間に空気溜まり５０等が発生しても、これを排出溝１４から除塵マット１の外部に排出することができ本実施形態の除塵マット１と同様の作用効果が得られる。
【００４７】
上記各実施形態から把握することができる技術思想について説明する。
・排出溝は平面視で格子状をなし、排出溝を構成する各溝の交点は幅が広く形成されているマット。
【００４８】
・マットは、除塵面を有する層、芯材となる層及び貼り付け面を有する層からなり、排出溝は貼り付け面を有する層に形成されているマット。
【符号の説明】
【００４９】
１・・除塵マット（マット）、１ａ・・除塵マットの側面、２・・除塵層、３・・芯材層、４・・設置層、１３・・貼り付け面、１４・・排出溝、１６・・天井部、１７・・（排出溝の）交点、５０、５１・・空気溜まり。
【図１】
2019122661.tif 000003
【図２】
2019122661.tif 000004
【図３】
2019122661.tif 000005
【図４】
2019122661.tif 000006
【図５】
2019122661.tif 000007
【図６】
2019122661.tif 000008
【図７】
2019122661.tif 000009
【図８】
2019122661.tif 000010
【図９】
2019122661.tif 000011